(57)【要約】【課題】  画像データの二次利用許可に伴う手続きを簡略化する。【解決手段】  プロジェクタ（２００）のＣＰＵ（２０１）は、ユーザから投影画像の二次利用要求が入力されると、画像データ送信元位置判定処理を実行する。画像送信元となるＰＣ（１００）が、ＩＰアドレスが同じネットワークセグメントに属するか否か、又は、投影文字列と同じ文字列がＰＣ（１００）で入力されたか否かで判定する。画像送信元であるＰＣ（１００）が同じ位置にある場合、ＣＰＵ（２０１）は、投影画像をＲＡＭ（２０３）に保存する。同じ位置にない場合、ＣＰＵ（２０１）は、ＰＣ（１００）に二次利用許可を問い合わせ、ＰＣ（１００）から許可を得たときに、投影画像をＲＡＭ（２０３）に保存する。【選択図】  図２
2013117783.tif 000002
【特許請求の範囲】
【請求項１】
画像送信装置と双方向に通信を行う通信手段と、
前記画像送信装置から送信される画像データを受信する受信手段と、
前記受信手段で受信した画像データを画像表示する表示手段と、
画像送信装置が前記表示手段の表示内容を認識できる場所にいるかどうかの判定を行う判定手段と、
前記判定手段による判定結果に基づき、前記通信手段を介して画像データの二次利用許可を前記画像送信装置に求めるか否かを切り替える制御手段
とを有することを特徴とする画像表示装置。
【請求項２】
前記通信手段は、外部情報機器と双方向で通信することができ、
前記制御手段は、前記二次利用許可があった場合、前記二次利用許可の対象となった画像の画像データを前記外部情報機器に前記通信手段を介して送信させる
ことを特徴とする請求項１に記載の画像表示装置。
【請求項３】
前記通信手段は、外部情報機器と双方向で通信することができ、
前記制御手段は、前記二次利用許可があった場合、前記二次利用許可の対象となった画像の画像データを前記外部情報機器に送信するように前記画像送信装置に要求することを特徴とする請求項１に記載の画像表示装置。
【請求項４】
前記判定手段はＩＰアドレスで前記判定を行うことを特徴とする請求項１乃至３のいずれか１項に記載の画像表示装置。
【請求項５】
前記判定手段は、前記表示手段で表示した文字列と同じ文字列を前記画像送信装置から送信されたか否かで前記判定を行うことを特徴とする請求項１乃至３のいずれか１項に記載の画像表示装置。
【請求項６】
前記二次利用許可は、印刷、保存及び再配信のいずれかの許可であることを特徴とする請求項１乃至５のいずれか１項に記載の画像表示装置。
【発明の詳細な説明】
【技術分野】
【０００１】
本発明は、画像表示装置に関し、特に表示画像を選択的に保存可能な画像表示装置に関する。
【背景技術】
【０００２】
一般的にプロジェクタ等の画像表示装置は、ＶＧＡ（Ｖｉｄｅｏ  Ｇｒａｐｈｉｃｓ  Ａｒｒａｙ）ケーブル又はＤＶＩ（Ｄｉｇｉｔａｌ  Ｖｉｓｕａｌ  Ｉｎｔｅｒｆａｃｅ）ケーブルなどでパーソナルコンピュータ（ＰＣ）に接続される。ＰＣは、これらのケーブルを通してプロジェクタにデジタル画像信号又はアナログ画像信号を供給し、プロジェクタは、対応する画像を投影表示する。ＰＣからプロジェクタに転送されるデジタル画像信号は、通常、非圧縮であり、画像表示等に使用される所定のタイミング信号も重畳される。
【０００３】
ＬＡＮ（Ｌｏｃａｌ  Ａｒｅａ  Ｎｅｔｗｏｒｋ）等のネットワークに接続するプロジェクタも増えつつある。ＬＡＮ経由でＰＣとプロジェクタを接続する場合、画像ソースとなるＰＣは、プロジェクタと同じ場所にある必要が無く、遠隔地からプレゼンテーションを行うことも可能である。
【０００４】
投影中の投影画面をユーザ要求に従い内部ストレージに保存するプロジェクタも知られている。このような機能に対し、投影画像によっては、送信元に保存などの二次利用の許可を求める必要がある。
【０００５】
配信されたデータの保存や再配信などの二次利用許可に関する従来技術として、配信されたデータを再利用する際に配信サーバに二次利用許可を求める技術が知られている。例えば、特許文献１には、配信されたコンテンツデータの再利用のために配信サーバに再利用依頼を行い、コンテンツデータの再利用可能回数を書き換える技術が記載されている。
【０００６】
特許文献２には、プロジェクタの投影面に表示される画像データを視聴者の操作するクライアントコンピュータに送信する方法が記載されている。
【先行技術文献】
【特許文献】
【０００７】
【特許文献１】特開２００１−３４４４２９号公報
【特許文献２】特開２００４−２８７１６０号公報
【発明の概要】
【発明が解決しようとする課題】
【０００８】
従来技術では、プロジェクタを用いてプレゼンテーションを行っている際に、聴衆から投影中の画像データを二次利用する旨の要求があった場合に、要求の都度、プレゼンタに許可を求める必要があり、プレゼンタにとっては非常に煩わしい。
【０００９】
本発明は、セキュリティを確保しつつ、表示画像データの二次利用許可に伴う煩雑な作業を簡便にした画像表示装置を提示することを目的とする。
【課題を解決するための手段】
【００１０】
上記目的を達成するために、本発明に係る画像表示装置は、画像送信装置と双方向に通信を行う通信手段と、前記画像送信装置から送信される画像データを受信する受信手段と、前記受信手段で受信した画像データを画像表示する表示手段と、画像送信装置が前記表示手段の表示内容を認識できる場所にいるかどうかの判定を行う判定手段と、前記判定手段による判定結果に基づき、前記通信手段を介して画像データの二次利用許可を前記画像送信装置に求めるか否かを切り替える制御手段とを有することを特徴とする。
【発明の効果】
【００１１】
本発明によれば、表示画像の二次利用を行う際に、画像送信装置が画像表示装置と実質的に同じ場所にいる場合に、二次利用に必要な許可手続きを簡略化するので、全体として、表示画像の二次利用許可に伴う作業を簡便にできる。
【図面の簡単な説明】
【００１２】
【図１】本発明の一実施例のネットワーク接続図である。
【図２】本実施例の概略構成ブロック図である。
【図３】本実施例で使用するネットワーク構成の概念図である。
【図４】ＩＰアドレス割り当て手順の説明図である。
【図５】本実施例の制御フローチャートである。
【図６ａ】本実施例のＧＵＩを説明図である。
【図６ｂ】本実施例のＧＵＩを説明図である。
【図６ｃ】本実施例のＧＵＩを説明図である。
【図６ｄ】本実施例のＧＵＩを説明図である。
【図７】ＩＰアドレスを利用した位置判定のフローチャートである。
【図８】文字列比較で位置判定するネットワーク構成の概念図である。
【図９】プリンタを追加した構成のネットワーク接続図である。
【図１０】文字列比較による位置判定のフローチャートである。
【図１１】文字列比較による位置判定でのＰＣ側画面例である。
【発明を実施するための形態】
【００１３】
以下、図面を参照して、本発明の実施例を詳細に説明する。
【実施例１】
【００１４】
図１は、画像送信装置であるＰＣ（パーソナルコンピュータ）１００と、表示装置であるプロジェクタ２００とがネットワーク３００を介して接続された画像転送システムの構成図を示す。ＰＣ１００は、表示すべき画像の画像データをネットワーク３００経由でプロジェクタ２００に転送する。プロジェクタ２００は、転送された画像データを図示しないスクリーンに投影して表示する。ＰＣ１００とプロジェクタ２００は、双方向に通信可能である。
【００１５】
図２は、ＰＣ１００とプロジェクタ２００の概略構成ブロック図である。本実施例では、プロジェクタ２００が、投影表示中の画像データを、ユーザの要求に従い内蔵ストレージであるＲＡＭ２０３に保存する使用法を例に各部の機能を説明する。
【００１６】
ＰＣ１００の基本動作について説明する。１０１は、ＰＣ１００の全体の挙動を制御するＣＰＵである。１０２は、ＣＰＵ１０１の処理手順を記述した制御プログラムを記憶するＲＯＭである。１０３は、ワークメモリとして一時的に制御プログラムやデータを格納するＲＡＭである。１０４は、アプリケーションやＯＳ（オペレーティングシステム）などの各プログラムとデータを格納するハードディスクドライブ（ＨＤＤ）である。１０５は、画像データを圧縮するエンコーダである。
【００１７】
１０６は、ＬＡＮ等を経由してプロジェクタ２００及びサーバなどと通信するためのインタフェースであるネットワークＩＦである。１０７は、キーボードやポインティングデバイス（マウス等）からのユーザ入力を処理するユーザＩＦである。１０８は、ＰＣ１００の表示すべき画像の画像データが記憶されているＶＲＡＭである。１０９は、ＶＲＡＭ１０８から読み出された画像データを処理する画像処理部である。１１０は表示制御部であり、画像処理部１０９から受け取ったデータを元に、表示部１１１を制御する。
【００１８】
ＰＣ１００は、これら各要素を接続する内部バス１１２を備えている。
【００１９】
プロジェクタ２００の基本動作を説明する。２０１は、プロジェクタ２００の全体の挙動を制御するＣＰＵである。２０２は、ＣＰＵ２０１の処理手順を記述した制御プログラムを記憶するＲＯＭである。２０３は、ワークメモリとして一時的に制御プログラムやデータを格納するＲＡＭである。２０４は、所定の圧縮方式で圧縮された画像データを伸長又はデコードするデコーダである。
【００２０】
２０５は、ネットワークを介してＰＣ１００と接続するためのインタフェースであるネットワークＩＦである。２０６は、操作キー２０６ａの操作、及びリモコン受光部２０６ｂを介したリモコン２０６ｃからのユーザ入力を受け付けるユーザＩＦである。２０７は、投影部２０８に画像データを供給し、投影部２０８による画像投影を制御する投影画像制御部である。投影部２０８は、画像を表示する液晶パネル及びその駆動ドライバ、投影レンズ及びその駆動系並びに光源で構成される。
【００２１】
プロジェクタ２００は、これら各要素を接続する内部バス２０９を備えている。
【００２２】
図５は、プロジェクタ２００の本実施例に特有の動作のフローチャートを示す。図５に示す動作は、ＣＰＵ２０１上で動作するプログラムにより実現される。図５に示す動作を実現するプログラムは、プロジェクタ２００が、ＰＣ１００から送信される画像データの画像を投影しているときに、ＣＰＵ２０１により実行される。
【００２３】
ＣＰＵ２０１は、ユーザＩＦ２０６により、投影画像の二次利用要求が入力されたか否かを判定する（Ｓ５０１）。そのような二次利用要求は、投影画像のＲＡＭ２０３への保存や印刷がある。保存のケースを例に、図６ａ〜図６ｄを参照して説明する。
【００２４】
図６ａは、プロジェクタ２００の投影画像と、ＰＣ１００の表示画像の関係を示すが、プロジェクタ２００の操作キー２０６ａ又はリモコン２０６ｃを使ってユーザ（プロジェクタ２００のオペレータ）が投影画像の保存を指示したとする。ＣＰＵ２０１は、ユーザＩＦ２０６による保存指示を受けて、投影画像制御部２０７に保存処理開始用ＧＵＩの表示を指示する。図６ａは、その様子を示す。プロジェクタ２００は、投影画像を保存するかどうかをユーザに選択させるためのＧＵＩ１４を投影面１３に重ねて投影表示する。ユーザが投影画面を保存する旨の選択を、操作キー２０６ａ又はリモコン２０６ｃで行うと、保存要求信号がユーザＩＦ２０６からＣＰＵ２０１に通知される。
【００２５】
この保存要求に応じて、ＣＰＵ２０１は、画像データ送信元位置判定処理を実行する（Ｓ５０２）。判定方法としては、例えば、可能性のある端末の所在地の表を予め作成しておき、その表を参照するか、後述する同じネットワークに所属するか否かなどがある。画像データ送信元位置判定処理は、端的には、プロジェクタ２００の表示内容を実質的に認識可能な位置に画像送信元となるＰＣ１００が存在するかどうかを判定する処理である。
【００２６】
ＣＰＵ２０１は、Ｓ５０２の判定結果に基づき、画像送信元であるＰＣ１００の設置場所がプロジェクタ２００と同じであれば（Ｓ５０３のＹＥＳ）、Ｓ５０６に遷移する。ＣＰＵ２０１は、画像送信元であるＰＣ１００の設置場所がプロジェクタ２００と同じ場所でなければ（Ｓ５０３のＮＯ）、Ｓ５０４に遷移する。
【００２７】
ＰＣ１００と同じ場所にない場合、ＣＰＵ２０１は、プロジェクタ２００により現在投影中の画像データをＲＡＭ２０３に保存してよいかどうか、即ち画像データの二次利用許可を、ＰＣ１００に問い合わせる（Ｓ５０４）。そして、ＣＰＵ２０１は、この問合せに対するＰＣ１００からの返答を待つ。図６ｂは、問合せ中のプロジェクタ２００の投影画像とＰＣ１００の表示画像の例を示す。問合せ中には、プロジェクタ２００は、保存許可を画面送信元に対して要求している旨を示すＧＵＩ１５を投影する。他方、ＰＣ１００は、動作している画面転送用のアプリケーションによって、ＰＣ１００の操作者に保存許可を行うかどうかを選択させるＧＵＩ１６を表示部１１１に表示する。
【００２８】
ＣＰＵ２０１は、ＰＣ１００から画像データの二次利用を許可する旨のメッセージを受信すると（Ｓ５０５）、Ｓ５０６に遷移し、不許可のメッセージを受信すると、本処理を終了する。図６ｄは、二次利用が拒否された場合に、プロジェクタ２００が投影するメッセージ例としてのＧＵＩ１８を示す。ＧＵＩ１８を投影表示することで、投影画像の保存要求操作を行ったユーザに不許可を通知する。
【００２９】
画像データの二次利用許可が得られた場合（Ｓ５０５）、ＣＰＵ２０１は、ＲＡＭ２０３に展開されているデコード済みの画像データを取得し（Ｓ５０６）、別途、ＲＡＭ２０３に保存して（Ｓ５０７）、本処理を終了する。図６ｃに例示するように、プロジェクタ２００は、保存要求操作を行ったユーザに通知するために、投影画像の保存に成功した旨を示すメッセージのＧＵＩ１１７を投影表示する。
【００３０】
画像データ送信元位置判定には、例えば、ＩＰアドレスを利用できる。ＩＰネットワークにおいて、ネットワーク機器にＩＰアドレスを割り振る一般的な方法を、図３及び図４を参照して説明する。
【００３１】
図３に示す例では、ＲｏｏｍＡに置かれる機器には、ネットワークアドレス１９２．１６８．１．０に属するＩＰアドレスを割り当てられる。ＲｏｏｍＢに置かれる機器には、ネットワークアドレス１９２．１６８．２．０に属するＩＰアドレスが割り当てられる。このように部屋単位又はフロア単位でサブネットを分けてネットワーク機器を管理する手法は、効率的な管理及びネットワークの混雑回避等の目的で一般的に行われている。
【００３２】
図３で、５００は、配下のネットワーク機器にＩＰアドレス等を配布するＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバである。６００は、ＲｏｏｍＡのネットワークとＲｏｏｍＢのネットワークを接続するルータである。ルータ６００は、ＤＨＣＰリレーエージェント機能を保持している。
【００３３】
ＤＨＣＰサーバ５００は、ネットワークアドレス１９２．１６８．１．０のサブネットからのＩＰアドレス取得要求にはＩＰアドレス１９２．１６８．１．１〜１９２．１６８．１．２５２のいずれかを割り当てる。但し、ＩＰアドレス１９２．１６８．１．２５３と同１９２．１６８．１．２５４は、ルータとＤＨＣＰサーバのＩＰアドレスとして既に利用されているので、配布範囲から除外される。ＤＨＣＰサーバ５００はまた、ネットワークアドレス１９２．１６８．２．０のサブネットからのＩＰアドレス取得要求にはＩＰアドレス１９２．１６８．２．０〜１９２．１６８．１．２５３のいずれかを割り当てる。ＩＰアドレス１９２．１６８．２．２５４はルータ６００のＩＰアドレスとして既に利用されているので、配布範囲から除外されている。
【００３４】
ルータ６００は、ネットワークアドレス１９２．１６８．１．０のサブネットとネットワークアドレス１９２．１６８．２．０のサブネットとを中継する。
【００３５】
図４は、ＰＣ１００，４００へのＩＰアドレス割当ての手順を示す。ＰＣ１００は、ＲｏｏｍＡのネットワークに接続され、ＤＨＣＰサーバ５００からＩＰアドレスが割り当てられる。ＰＣ４００は、ＲｏｏｍＢのネットワークに接続され、ＤＨＣＰサーバ５００からＩＰアドレスが割り当てられる。
【００３６】
まず、ＰＣ１００がＩＰアドレスを取得する手順を説明する。ＰＣ１００がネットワークに接続されると、Ｓ４１で、ＰＣ１００は、ネットワーク全体に対してＤＨＣＰサーバを探すためのＤｉｓｃｏｖｅｒｙメッセージをブロードキャストする。ＤＨＣＰサーバ５００は、Ｄｉｓｃｏｖｅｒｙメッセージを受信すると、Ｓ４２で、ＰＣ１００に割り当てる候補のＩＰアドレスを格納したＯｆｆｅｒメッセージを送信する。この際に割り当て対象となるＩＰアドレスは、１９２．１６８．１．ｘで未使用の中から選ばれる。これは、Ｄｉｓｃｏｖｅｒｙメッセージの送信元が、このメッセージに含まれる送信元情報によりＤＨＣＰサーバ５００と同一のサブネットであると判断できるからである。
【００３７】
ＰＣ１００は、Ｏｆｆｅｒメッセージを受信すると、候補のＩＰアドレスで問題ないかを判断し、Ｓ４３でＲｅｑｕｅｓｔメッセージを送信することで、割り当て候補であったＩＰアドレスの取得を正式にＤＨＣＰサーバ５００に要求する。Ｒｅｑｕｅｓｔメッセージを受信したＤＨＣＰサーバ５００は、Ｓ４４でＰＣ１００に割り当てる対象のＩＰアドレス、サブネットマスク及びこのＩＰアドレスの利用可能な期間を含むＡＣＫメッセージを送信する。
【００３８】
以上、Ｓ４１からＳ４４までのメッセージのやりとりによって、ＰＣ１００にＩＰアドレスが割り当てられる。
【００３９】
ＰＣ２００がＩＰアドレスを取得する手順を説明する。前述のＤＨＣＰメッセージはすべてブロードキャストで行われるが、ブロードキャストのメッセージは、同一サブネット内の機器にしか届かない。図３に示したようにＰＣ４００とＤＨＣＰサーバ５００のサブネットが分かれている場合には、ＤＨＣＰメッセージ通信はできない。こうした状況では、ルータ６００が、受信したＤＨＣＰメッセージをＤＨＣＰサーバ５００に転送する。この機能はＤＨＣＰリレーエージェント機能と呼ばれている。
【００４０】
ＰＣ４００は、ネットワークに接続されると、Ｓ４１と同様にＤｉｓｃｏｖｅｒｙメッセージをブロードキャストする。このメッセージをルータ６００がＳ４６でＤＨＣＰサーバ５００に転送する。このメッセージを受信したＤＨＣＰサーバ５００は、ＰＣ４００に割り当てる候補となるＩＰアドレスを選択する。この際に割り当て対象となるＩＰアドレスは、１９２．１６８．２．ｘで未使用の中から選ばれる。これは、Ｄｉｓｃｏｖｅｒｙメッセージがネットワークアドレス１９２．１６８．２．０のサブネットから転送されてきたからである。
【００４１】
ＤＨＣＰサーバ５００は、割り当て候補のＩＰアドレスを格納したＯｆｆｅｒメッセージを送信する。ルータ６００は、Ｓ４８でＤＨＣＰサーバ５００のメッセージをサブネット１９２．１６８．２．０に転送する。ＰＣ４００は、Ｏｆｆｅｒメッセージを受信すると、同様に問題ないかを判定して、正式な取得要求であるＲｅｑｕｅｓｔメッセージをＳ４９で送信する。ルータ６００はこのメッセージをＳ５０でサブネット１９２．１６８．１．０に転送する。
【００４２】
ＰＣ４００のＯｆｆｅｒメッセージ受信したＤＨＣＰサーバ５００は、割り当て完了のＡＣＫメッセージをＳ５１で送信する。ルータ６００は、このメッセージをＳ５２で転送する。
【００４３】
以上、Ｓ４５からＳ５２までのメッセージのやりとりによって、ＰＣ４００にＩＰアドレスが割り当てられる。
【００４４】
ＩＰアドレスはネットワーク機器の論理的な位置を示す値である。しかし、一般的な運用においては、ネットワーク管理者が、部屋又はフロア単位でサブネットを分けてネットワーク機器を管理するので、ネットワーク機器の相対的な物理的位置関係を判断する基準となりうる。
【００４５】
画像送信元位置判定手段としてＩＰアドレスを用いる方法を、図７に示すフローチャートを参照して説明する。位置判定処理が開始されると、ＣＰＵ２０１は、自身のネットワークＩＦ２０５に設定されているＩＰアドレスとサブネットマスクの論理積からネットワークアドレスを算出する（Ｓ７０１）。
【００４６】
ＣＰＵ２０１は、続いて、プロジェクタ２００で投影中の画像データの送信元のＰＣのＩＰアドレスとサブネットマスクを、受信した画像データに含まれる送信元情報から取得する。そして、ＣＰＵ２０１は、Ｓ７０１と同様に、ＰＣの所属するネットワークアドレスを計算する（Ｓ７０２）
【００４７】
ＣＰＵ２０１は、Ｓ７０１で取得したプロジェクタ２００のネットワークアドレスと、Ｓ７０２で取得した画像データ送信元のネットワークアドレスを比較する（Ｓ７０３）。この比較の結果、同一のネットワークアドレスであれば（Ｓ７０３のＹＥＳ）、Ｓ７０４に遷移し、そうでなればＳ７０５に遷移する。
【００４８】
ＣＰＵ２０１は、Ｓ７０４で、画像データ送信元とプロジェクタ２００が同一の場所にあると判定する。逆に、Ｓ７０５では、ＣＰＵ２０１は、画像データ送信元とプロジェクタ２００が同一の場所にはないと判断する。これにより、位置判定処理を終了する。
【００４９】
以上、説明した方法によれば、図３に示す例では、ＰＣ１００からの画像データをプロジェクタ２００が投影表示中にプロジェクタ２００のユーザが投影画像の保存要求を行ったときには、即座に保存処理が実行される。他方、ＰＣ４００からの画像データをプロジェクタ２００が投影表示中に投影画像の保存要求があった場合には、画像データの利用許可を求める手順が実施される。
【００５０】
画像データ送信元位置をＩＰアドレスに基づいて判定する方法は、図８に示すように、プロジェクタ２００とＰＣ４５０が別々の部屋にあるにもかかわらず、同一のサブネットに属している場合には適用できない。図１０は、こうした状況に有効な送信元位置判定方法のフローチャートを示す。図１０に示すフローチャートに基づく動作は、ＣＰＵ２０１上で動作するプログラムにより実現される。
【００５１】
ＣＰＵ２０１は、ネットワークＩＦ２０５においてＰＣからの画像転送の開始を待ち受ける（Ｓ１００１）。ＰＣからの画像転送開始を検知すると、ＣＰＵ２０１は、投影画像制御部２０７を制御して位置判定用の任意の文字列を表示させる。（Ｓ１００２）これは、例えば、図８に符号３０に示すような文字列”ＡＢＣ”である。このような文字列は、ランダムに生成したものでも、プロジェクタのＲＯＭ２０２に格納した固定値でもよい。
【００５２】
ＣＰＵ２０１は、文字列入力を要求する旨のメッセージを、ネットワークＩＦ２０５を介して画像送信元のＰＣに送信する（Ｓ１００３）。画像送信元であるＰＣのＣＰＵ１０１は、ネットワークＩＦ１０６より前記メッセージを受信する。ＣＰＵ１０１は、画像処理部１０９及び表示制御部１１０を制御して、表示部１１１にプロジェクタ２００上で表示されている文字列と同じ文字列の入力を促すＧＵＩを表示する。このＧＵＩ例を図１１に示す。ＣＰＵ１０１は、ユーザＩＦ１０７からの入力を一定時間待ち受け、何らかの文字入力があれば、ネットワークＩＦ１０６を介して、入力文字列をプロジェクタ２００に通知する。また、所定時間経っても、入力がなかった場合には、入力なしを示すメッセージを通知する。
【００５３】
プロジェクタのＣＰＵ２０１は、ネットワークＩＦ２０５を監視して、ＰＣからの文字列データの受信を待ち受ける。文字列データを受信すると、ＣＰＵ２０１は、受信した文字列をＳ１００２で自身が投影面に表示した文字列と比較する（Ｓ１００４）。両者が一致していれば（Ｓ１００４のＹＥＳ）、Ｓ１００５に遷移し、両者が一致していなければ（Ｓ１００４のＮＯ）、Ｓ１００６に遷移する。また、ＰＣからの文字列入力が一定時間なかった場合も、Ｓ１００６に遷移する。
【００５４】
Ｓ１００５では、ＣＰＵ２０１は、画像データ送信元とプロジェクタ２００が同一の場所にあると判定する。他方、Ｓ１００６では、ＣＰＵ２０１は、画像データ送信元とプロジェクタ２００が同一の場所にないと判定する。これにより、位置判定処理を終了する。
【００５５】
具体的な例を図８に示す状況に対して説明する。ＰＣ１００が投影すべき画像データをプロジェクタ２００に送信し、プロジェクタ２００が投影しているとする。この状況では、ＰＣ１００の操作者は投影面を視認可能であるので、位置判定用に投影された文字列を正しく入力できる。他方、ＰＣ４００の操作者は投影面を視認できる位置にいないので、位置判定用文字列を正しく入力できない。その結果、ＰＣ１００はプロジェクタ２００と同じ位置であると判断され、ＰＣ４００はプロジェクタ２００とは別の位置にあると判断される。
【００５６】
このような位置判定用の文字列を利用した位置判定方法をステップＳ５０２に適用することで、図８に示したような状況においても画像データ送信元の位置を判定できる。図１０で説明した位置判定処理は、ＰＣからの画像転送が開始されたタイミングで、ＰＣ毎に１度だけ行えばよく、Ｓ５０２ではその結果のみを参照すればよい。
【００５７】
以上述べた方法によれば、プレゼンタとそのデータの２次利用を希望するユーザが、２次利用の許諾をする交渉が口頭で行えるような同一の場所にいる場合に、許諾操作を簡略化できる。
【実施例２】
【００５８】
プロジェクタが投影表示中の画像データを保存する実施例を説明したが、プロジェクタが投影表示中の画像データを、ユーザ要求に従って外部印刷装置に転送し印刷する場合にも適用できる。図９は、このような状況を示す概略構成図である。プロジェクタ２００、ＰＣ１００および印刷装置７００は、ネットワーク３００を介して接続されている。実施例１と同様に、プロジェクタ２００はＰＣ１００から送信される画像データをネットワーク経由で受信して投影する。プロジェクタ２００はユーザ要求により投影画像の印刷が指示された場合は、印刷装置７００に投影中の画像データを転送し、印刷装置７００はこれを印刷する。
【００５９】
この場合には、図５に示すフローチャートのＳ５０７において、Ｓ５０６で取得した画像データを保存する代わりに、印刷装置７００に転送して印刷を行わせることになる。
【００６０】
一般的に、ネットワーク経由でＰＣからプロジェクタに画像データを送信する場合、例えばＪＰＥＧ圧縮などの非可逆圧縮を用いて、送信データ量を削減している。これは、一般的なネットワークが利用可能な帯域に比べて圧縮前のＰＣの画像データが大きいので、圧縮処理を行わないと投影画像の画質／フレームレートが充分でなくなるからである。また、圧縮処理以外にもプロジェクタが表示可能な解像度にあわせてＰＣの画面データをリサイズする処理も一般的に行われている。
【００６１】
こうした場合、投影画像データの印刷をプロジェクタ側が保持している画像データを元に行うと、圧縮処理によって劣化した画像を印刷することとなってしまう。この問題は、次のようにして解決できる。即ち、図５のＳ５０５で許可があった後、プロジェクタ２００のＣＰＵ２０１は、ＰＣ１００に画像データを非圧縮で再送するように要求する。非圧縮の画像データを受信したプロジェクタ２００のＣＰＵ２０１は、その非圧縮の画像データを印刷装置７００に転送する。
【００６２】
なお、図５のＳ５０５での許可に対して、プロジェクタ２００のＣＰＵ２０１は、非圧縮の画像データを直接、印刷装置７００に転送するようにＰＣ１００に指示するようにしてもよい。
【００６３】
画像データ送信元の装置としてコンピュータを、画像データを表示させる装置としてプロジェクタを、画像データの二次利用の例として印刷装置に送信し印刷させる実施例を説明したが、これに限られない。例えば、画像送信元の装置としては、携帯電話、カメラ、スマートフォン及びストレージデバイスなど、画像データを送信できる装置であれば、どのような装置であっても良い。また、画像表示装置としては、テレビ、モニタ、携帯電話及びスマートフォンなど、画像データを受信して表示できる装置であれば、どのような装置であっても良い。印刷装置は外部情報機器の一例である。
【００６４】
また、画像データの二次利用としては、画像データを他のコンピュータや携帯電話、スマートフォンに送信して保存、表示させるような利用であっても良い。すなわち、保存、印刷以外にも、画像データの再配信にも本発明は適用できる。
【００６５】
以上、本発明の好ましい実施例を説明したが、本発明は、これらの実施例に限定されず、その要旨の範囲内で種々の変形及び変更が可能である。
【図１】
2013117783.tif 000003
【図２】
2013117783.tif 000004
【図３】
2013117783.tif 000005
【図４】
2013117783.tif 000006
【図５】
2013117783.tif 000007
【図６ａ】
2013117783.tif 000008
【図６ｂ】
2013117783.tif 000009
【図６ｃ】
2013117783.tif 000010
【図６ｄ】
2013117783.tif 000011
【図７】
2013117783.tif 000012
【図８】
2013117783.tif 000013
【図９】
2013117783.tif 000014
【図１０】
2013117783.tif 000015
【図１１】
2013117783.tif 000016